(57)【要約】【課題】  切断機の排出口に集塵アダプタを取り付けない場合には、より良い操作性を確保し、集塵アダプタを取り付けた場合には、より少ない手間で集塵アダプタとレバーとの干渉を防止できるように、安全カバーに取り付けた安全カバー回動操作用のレバーを有する携帯用切断機を提供する。【解決手段】  切断機５０の排出口３５に集塵アダプタ９３を取り付けた場合にはレバー３７の全長を短くして集塵アダプタ９３とレバー３７との干渉を防止し、取り付けない場合にはレバー３７の全長を長くして操作性をよくするように、レバー３７の長さを変更可能にする。【選択図】  図２
2009184304.tif 000002
【特許請求の範囲】
【請求項１】
モータにより回転駆動される鋸刃と、前記モータを収納するハウジングと、被加工材上を摺動可能な底面を持ち、該底面より前記鋸刃を下方に突出可能な開口部を有するベースと、前記鋸刃の上側を覆う上カバー及び前記鋸刃の下側を覆う下カバーと、前記上カバーに設けられ前記鋸刃による被加工材の切断作業により発生した切粉を排出する排出口と、前記下カバーに設けられたレバーと、を備えた携帯用切断機において、
前記下カバーに前記レバーの長さを調整可能な調整手段を設けたことを特徴とする携帯用切断機。
【請求項２】
前記調整手段は、前記下カバーに取り付けられる第１部材と、該第１部材の長手方向に摺動可能に取り付けられる第２部材からなり、
該第２部材を前記第１部材に対して摺動することにより前記レバーの長手方向の長さを変えられることを特徴とする請求項１記載の携帯用切断機。
【請求項３】
前記第１部材及び前記第２部材には長穴が設けられ、前記第１部材及び前記第２部材の少なくとも一方には突起が設けられ、
該突起を前記長穴に挿入した状態で前記第２部材を前記第１部材に対して摺動可能なことを特徴とする請求項２記載の携帯用切断機。
【請求項４】
前記鋸刃の前記ベース底面からの突出量を変更可能なことを特徴とする請求項１乃至請求項３のいずれか一項に記載の携帯用切断機。
【請求項５】
前記鋸刃の前記ベース底面に対する相対角度を変更可能なことを特徴とする請求項１乃至請求項４のいずれか一項に記載の携帯用切断機。
【発明の詳細な説明】
【技術分野】
【０００１】
本発明は、携帯用切断機に関する。
【背景技術】
【０００２】
従来の携帯用切断機について、図６乃至図１１を用いて説明する。図６及び図７に示すように、携帯用切断機（単に切断機と称す）１００は、モータ８０を収納しモータ８０の回転軸８０ａに略直交する方向に設けらたハンドル８１を有するハウジング８２と、モータ８０により減速部８３を介して回転駆動される鋸刃８４と、被加工材上を摺動可能な底面８５を持ち、鋸刃８４を底面８５より下方に突出可能な開口部８６を有するベース８７とから主に構成されている。
【０００３】
鋸刃８４は、上カバー８９と下カバー９０とにより覆われている。具体的には、ベース８７と連結されてハウジング８２に取り付けられ、減速部８３を収納し、かつ鋸刃８４の上側半分のモータ８０側を覆うと共に、鋸刃８４の刃先部８８を収納する上カバー８９と、切断作業を行わない時は、鋸刃８４の下側半分のモータ８０側を覆うと共に刃先部８８を収納し、切断作業時にはそれ自身が被加工材に当接する事によって上カバー８９の中に収納されるように、回転軸８４ａを中心に上カバー８９内に回動可能に支持された下カバー９０とにより覆われている。下カバー９０には作業者が下カバー９０を回転軸８４ａを中心に自由に回動できるように図９に示す固定長さを有するレバー９４がネジ９５により取り付けられている。
【０００４】
上カバー８９は鋸刃８４の回転軸８４ａに直交する方向、および鋸刃８４の側面９１に直交する方向に一定の範囲内で回動可能に支持されていて、鋸刃８４がベース底面８５から突出する長さすなわち切込み深さと、ベース底面８５に対する鋸刃８４の傾斜角度すなわち切断角度を変える事ができる。上カバー８９には鋸刃８４による被加工材の切断作業により発生し、上カバー８９の内周面に沿って進む切粉を排出するための排出口９２が設けられている。排出口９２には、図８に示すように切粉を外部の集塵装置で吸引するための集塵アダプタ９３（図１０）が着脱可能となっている。
【０００５】
【特許文献１】特開２００３−２１１４０５号公報
【発明の開示】
【発明が解決しようとする課題】
【０００６】
上記のような構成の切断機１００は、図８に示すように、図１０に示す集塵アダプタ９３を取り付け下カバー９０を回動した際に集塵アダプタ９３とレバー９４が干渉しないように、図９に示す長さが短い固定長のレバー９４を採用していた。レバー９４は手動で下カバー９０を回動する際に作業者が掴み難く操作性が悪かった。操作性をよくするため、長さが長いレバーを採用すると、排出口９２に集塵アダプタ９３を取り付けて下カバー９０を回動した際に集塵アダプタ９３とレバーが干渉してしまい下カバー９０の円滑な動作を妨げることになり、結果として切断作業自体に支障をきたすことになる。あるいは、上記の２つのレバーを用意しておき、集塵アダプタ９３の着脱に応じて交換するようにしても良いが、交換作業に手間がかかってしまう問題があった。
【０００７】
そこで、本発明は、集塵アダプタを取り付けない場合にはより良い操作性を確保し、集塵アダプタを取り付けた場合は、より少ない手間で集塵アダプタとレバーとの干渉を防止することができる構造のレバーを有する切断機を提供することを目的としている。
【課題を解決するための手段】
【０００８】
上記課題を解決するために、本発明は、モータにより回転駆動される鋸刃と、前記モータを収納するハウジングと、被加工材上を摺動可能な底面を持ち、該底面より前記鋸刃を下方に突出可能な開口部を有するベースと、前記鋸刃の略上半分を覆う上カバー及び前記鋸刃の略下半分を覆う下カバーと、前記上カバーに設けられ前記鋸刃による被加工材の切断作業により発生した切粉を排出する排出口と、前記下カバーに設けられたレバーと、を備えた携帯用切断機において、前記下カバーに前記レバーの長さを調整可能な調整手段を設けた携帯用切断機を提供している。
【０００９】
このように構成すれば、調整手段によりレバーの長さを変更することができるので、集塵アダプタを取り付けない場合にはより良い操作性を確保し、集塵アダプタを取り付けた場合は、より少ない手間で集塵アダプタとレバーとの干渉を防止することができる。
【００１０】
また、前記調整手段は、前記下カバーに取り付けられる第１部材と、該第１部材の長手方向に摺動可能に取り付けられる第２部材を有し、該第２部材を前記第１部材に対して摺動することにより前記レバーの長手方向の長さを変えられることが好ましい。このように構成すれば、簡単な構成で容易にレバーの長さを変更することができる。
【００１１】
また、前記第１部材及び前記第２部材には長穴が設けられ、前記第１部材及び前記第２部材の少なくとも一方には突起が設けられ、該突起を前記長穴に挿入した状態で前記第２部材を前記第１部材に対して摺動可能なことが好ましい。このように構成すれば、突起が長穴に入り込むことで第２部材が摺動する際に突起がガイドとなり容易にレバーの長さを変更することができる。
【００１２】
また、前記鋸刃の前記ベース底面からの突出量を変更可能なことが好ましい。このように構成すれば、被加工材の切り込み深さを調整することができる。また、前記鋸刃の前記ベース底面に対する相対角度を変更可能なことが好ましい。このように構成すれば、被加工材の切り込み角度を調整することができる。
【発明の効果】
【００１３】
本発明によれば、切断作業に応じてレバーの長さを簡単に調整することができるため、操作性を向上することができ、レバーを交換する手間を省くことができる。
【発明を実施するための最良の形態】
【００１４】
本発明の切断機について図１乃至図５用いて説明する。図１及び図２において、切断機５０は、モータ１を収納し、かつモータ１の回転軸１ａに略直交する方向に設けられ、モータ１の駆動を制御するスイッチ２を収納するハンドル部３を有するハウジング４と、モータ１により減速部５を介して回転駆動される鋸刃６と、被加工材上を摺動可能な底面７を持ち、鋸刃６を底面７より下方に突出可能な開口部８を有するベース９とから主に構成されている。
【００１５】
鋸刃６は、ハウジング４に取り付けられて減速部５を収納し、鋸刃６の上側の略半分のモータ１側を覆うと共に鋸刃６の刃先部１０を収納する上カバーとなる保護カバー（ギヤカバー）１１と、切断作業を行わない時は、鋸刃６の下側半分のモータ１側を覆うと共に刃先部１０を収納し、切断作業を行う時には自身が被加工材に当接することによって保護カバー１１内に収納されるように回転軸６ａを中心に保護カバー１１に回動可能に支持された下カバーとなる安全カバー１５と、により覆われている
切断機５０は、鋸刃６をベース底面７より下方へ突出することにより被加工材を切断可能に構成されている。この突出量を調整することにより被加工材の切込深さを調整することができる構成となっている。切込深さ調整機構部は、ベース９の一端側において保護カバー１１とベース９とを連結するベベルプレート１２と、ベース９の他端側において保護カバー１１とベース９とを連結する第１リンク１３及び第２リンク１４とから主に構成されている。
【００１６】
ベベルプレート１２及び第２リンク１４は、ベース９にそれぞれピン１６、１７によって、鋸刃側面１８およびベース底面７に対して平行なピン１６、１７の共通軸に対して回動可能に取り付けられ、第１リンク１３はネジ１９及びナット２０によって、鋸刃側面１８に対して直交する方向に回動可能に第２リンク１４に取り付けられている。
【００１７】
保護カバー１１は、ベース９の一端側において、ボルト２１及びナット２２を用いてベベルプレート１２に、ボルト２１を軸として鋸刃６の回転軸に直交する方向に回動可能に軸支されている一方、ベース９の他端側において、ボルト２３、ワッシャ２４(２個)、レバー２５、ワッシャ、及びナット２７により第１リンク１３に取り付けられている。
【００１８】
レバー２５を回動させ、保護カバー１１と第１リンク１３の締結を解除し、保護カバー１１を第１リンク１３に沿って回動させて第１リンク１３の任意の位置で再び保護カバー１１と第１リンク１３をレバー２５により締結することで、刃先部１０のベース底面７からの突出量すなわち切込み深さを調節可能になっている。
【００１９】
また、ベベルプレート１２は、ワッシャ２８、スプリングワッシャ及びチョウボルト３０により、第２リンク１４はボルト３１、ワッシャ３２、スプリングワッシャ及びチョウナット３４により、ベース９に締結、開放できるようになっており、この傾斜角度調整機構部によりベース底面７に対する鋸刃６の傾斜角度すなわち切断角度を調節可能になっている。
【００２０】
保護カバー１１には鋸刃６による被加工材の切断作業により発生し、保護カバー１１の内周面に沿って進む切粉を排出するための排出口３５が設けられており、排出口３５には切粉を外部の集塵装置で吸引するための図１０に示す集塵アダプタ９３が着脱可能となっている。
【００２１】
安全カバー１５には作業者が安全カバー１５を自由に回動させることができるようにレバー３７がネジ３８で取り付けられている。本発明のレバー３７は、後述するようにベースプレート３９、ツマミ４０、ウェーブワッシャ４１、ネジ４２、及びナット４３から構成されており、作業に応じてその長さが調整可能になっている。
【００２２】
上記した構成により、携帯用切断機５０は、ベース９を被加工材に当てハンドル３を把持しスイッチ２をオンすることにより、モータ１の回転が回転軸１ａ、減速部５を介して鋸刃６に伝達されて被加工材を切断することができる。また、切込み深さ調整機構部により被加工材の切り込み深さを、傾斜角度調整機構部によりベース９に対する鋸刃６の傾斜角度を調整することができる。
【００２３】
次に、本発明のレバー３７の構成について、図３乃至図５を用いて説明する。安全カバー１５に取り付けられる第１部材となるベースプレート３９には、安全カバー１５にネジ３８で固定するためのネジ穴４４、鋸刃６の回転軸６ａに直交する方向に設けられた長穴４５、ネジ４２が貫通する穴４６が設けられ、第２部材となるツマミ４０には内部をネジ４２が貫通かつ移動可能な長穴４７、長穴４５の内部を貫通かつ移動可能で長穴４５の短辺より僅かに小さい幅を持った突起４８が設けられている。ベースプレート３９とツマミ４０は、突起４８が長穴４５内を貫通し、ネジ４２がウェーブワッシャ４１を介して穴４６、長穴４７を貫通しナット４３に締付けられた状態で組立られている。ネジ４２はウェーブワッシャ４１が適度な反発力を発揮するように締付けられており、ツマミ４０を長穴４５の長辺方向にスライドすることで、レバー３７全体の長さを調節することができる。すなわち、排出口３５に集塵アダプタが取り付けられている場合には、ツマミ４０を把持し長穴４５に沿って図３の右方向にスライドさせることによりレバー３７の全長を短くすることにより、集塵アダプタ９３が取り付いた状態でも安全カバー１５を任意に回動することができる。逆に、集塵アダプタ９３が取り付けられていない場合には、ツマミ４０を把持し長穴４５に沿って図３の左方向にスライドさせることによりレバー３７の全長を長くすることにより、安全カバー１５を任意に回動する際に操作性を向上することができる。なお、このスライド操作の際、突起４８が長穴４５内を案内するため、ツマミ４０がネジ４２を中心にして回転することを防止でき、スライド操作を確実に行うことができる。
【００２４】
なお、本実施形態では、レバーをネジにより構成したが、チョウボルトにより構成すれば人手によりより簡単にレバー全長を調整することができる。また、ベースプレートとツマミの２部品構成ではなく３部品以上の構成にすればレバーの全長を更に長くすることもできる。また、スライド式ではなく、長穴に替えてネジ４２の周りに円状の溝を設け、ツマミをネジの回りに回動するようにしてもよい。
【図面の簡単な説明】
【００２５】
【図１】本発明による携帯用切断機を示す一部断面上面図。
【図２】本発明による携帯用切断機を示す一部断面正面図。
【図３（Ａ）】本発明による携帯用切断機のレバーの上面図。
【図３（Ｂ）】本発明に携帯用切断機のレバーの正面図。
【図４（Ａ）】本発明による携帯用切断機のレバーを構成するベースプレートの上面図。
【図４（Ｂ）】本発明による携帯用切断機のレバーを構成するベースプレートの正面。
【図５（Ａ）】本発明による携帯用切断機のレバーを構成するツマミの上面図。
【図５（Ｂ）】本発明による携帯用切断機のレバーを構成するツマミの正面図。
【図６】従来の携帯用切断機を示す一部断面上面図。
【図７】従来の携帯用切断機を示す一部断面正面図。
【図８】従来の携帯用切断機に集塵アダプタを取り付けた状態の一部省略要部説明図。
【図９（Ａ）】従来の携帯用切断機のレバーの上面図。
【図９（Ｂ）】従来の携帯用切断機のレバーの正面図。
【図１０（Ａ）】携帯用切断機に取り付けられる集塵アダプタの正面図。
【図１０（Ｂ）】携帯用切断機に取り付けられる集塵アダプタの上面図。
【符号の説明】
【００２６】
１はモータ、１ａはモータ軸、２はスイッチ、３はハンドル、４はハウジング、５は減速部、６は鋸刃、６ａは回転軸、７はベース底面、８は開口部、９はベース、１０は刃先部、１１は保護カバー、１２はべべルプレート、１３は第１リンク、１４は第２リンク、１５は安全カバー、１６はピン、１７はピン、１８は鋸刃側面、１９はネジ、２０はナット、２１はボルト、２２はナット、２３はボルト、２４はワッシャ、２５はレバー、２７はナット、２８はワッシャ、２９はスプリングワッシャ、３０はチョウボルト、３１はボルト、３２はワッシャ、３４はチョウナット、３５は排出口、３７はレバー、３８はネジ、３９はベースプレート、４０はツマミ、４１はワッシャ、４２はネジ、４３はナット、４４はネジ穴、４５は長穴、４６は穴、４７は長穴、４８は突起、５０は携帯用切断機、である。
【図１】
2009184304.tif 000003
【図２】
2009184304.tif 000004
【図３（Ａ）】
2009184304.tif 000005
【図３（Ｂ）】
2009184304.tif 000006
【図４（Ａ）】
2009184304.tif 000007
【図４（Ｂ）】
2009184304.tif 000008
【図５（Ａ）】
2009184304.tif 000009
【図５（Ｂ）】
2009184304.tif 000010
【図６】
2009184304.tif 000011
【図７】
2009184304.tif 000012
【図８】
2009184304.tif 000013
【図９（Ａ）】
2009184304.tif 000014
【図９（Ｂ）】
2009184304.tif 000015
【図１０（Ａ）】
2009184304.tif 000016
【図１０（Ｂ）】
2009184304.tif 000017